(57)【要約】【課題】より高い偽造防止効果を達成すると共に、偽造防止技術を施した表示体を使用する際のデザイン上の制約を低減させる。【解決手段】本発明の表示体１０は、複数の凹部又は凸部からなる回折構造を各々が含み且つ隙間を形成している１つ又は複数の第１要素領域と、前記隙間の少なくとも一部を埋めている１つ又は複数の第２要素領域とを各々が含んだ１つ又は複数の第１界面部を備え、第１方向から白色光で照明した場合に、前記１つ又は複数の第１要素領域に対応した第１要素表示部は第１回折光を第２方向に射出し、前記１つ又は複数の第２要素領域に対応した第２要素表示部は散乱光を射出する。【選択図】      図３
2010085721.tif 000002
【特許請求の範囲】
【請求項１】
複数の凹部又は凸部からなる回折構造を各々が含み且つ隙間を形成している１つ又は複数の第１要素領域と、前記隙間の少なくとも一部を埋めている１つ又は複数の第２要素領域とを各々が含んだ１つ又は複数の第１界面部を備え、
第１方向から白色光で照明した場合に、前記１つ又は複数の第１要素領域に対応した第１要素表示部は第１回折光を第２方向に射出し、前記１つ又は複数の第２要素領域に対応した第２要素表示部は散乱光を射出し、
前記第１方向から前記白色光で照明して前記第２方向から肉眼で観察した場合には、前記１つ又は複数の第１界面部に対応した第１表示部は前記第１回折光に対応した色を表示し且つ前記第１要素表示部は前記第１表示部のうち前記第１要素表示部以外の部分から識別することが不可能であり、
前記第１方向から前記白色光で照明して前記第２方向とは異なる第３方向から肉眼で観察した場合には、前記第１表示部は前記散乱光に対応した色を表示し且つ前記第２要素表示部は前記第１表示部のうち前記第２要素表示部以外の部分から識別することが不可能であることを特徴とする表示体。
【請求項２】
前記１つ又は複数の第１界面部の少なくとも１つにおいて、前記１つ又は複数の第１要素領域は、この第１界面部の全体に亘って一様に配置された複数の第１要素領域であり、前記１つ又は複数の第２要素領域は、この第１界面部の全体に亘って一様に配置された複数の第２要素領域であることを特徴とする請求項１に記載の表示体。
【請求項３】
前記１つ又は複数の第１界面部の少なくとも１つは、複数の前記第１要素領域及び／又は複数の前記第２要素領域を備え、これら第１要素領域及び第２要素領域の少なくとも一方は、前記第１界面部において網点を形成していることを特徴とする請求項１に記載の表示体。
【請求項４】
前記１つ又は複数の第１界面部の少なくとも１つは、複数の前記第１要素領域及び／又は複数の前記第２要素領域を備え、これら第１要素領域及び第２要素領域の少なくとも一方は、前記第１界面部において万線を形成していることを特徴とする請求項１に記載の表示体。
【請求項５】
前記複数の凹部又は凸部は、２００ｎｍ以上且つ５００ｎｍ以下の最小中心間距離で配列していることを特徴とする請求項１乃至４の何れか１項に記載の表示体。
【請求項６】
前記１つ又は複数の第２要素領域の少なくとも１つは、無秩序に配置された複数の凹部又は凸部からなることを特徴とする請求項１乃至５の何れか１項に記載の表示体。
【請求項７】
前記第１方向から前記白色光で照明した場合に、前記第２方向に射出される前記回折光の強度は、前記第２方向に射出される前記散乱光の強度の２倍以上であることを特徴とする請求項１乃至６の何れか１項に記載の表示体。
【請求項８】
前記１つ又は複数の第１界面部の少なくとも１つと隣り合った第２界面部を更に具備し、前記第２界面部に対応した第２表示部は、肉眼で観察した場合に前記第１表示部から識別可能な像を表示することを特徴とする請求項１乃至７の何れか１項に記載の表示体。
【請求項９】
前記第２界面部は複数の凹部又は凸部からなる回折構造を含み、
前記第１方向から前記白色光で照明して前記第２方向から肉眼で観察した場合には、前記第２表示部は、第２回折光を前記第２方向に射出して前記第２回折光に対応した色を表示し、
前記第１方向から前記白色光で照明して前記第３方向から肉眼で観察した場合には、前記第２表示部は前記第１表示部から射出される前記散乱光に対応した色とは異なる色を表示することを特徴とする請求項８に記載の表示体。
【請求項１０】
前記第１回折光と前記第２回折光とは波長が互いに異なることを特徴とする請求項９に記載の表示体。
【請求項１１】
請求項１乃至１０の何れか１項に記載の表示体と、前記表示体上に設けられた粘着層とを具備したことを特徴とする粘着ラベル。
【請求項１２】
請求項１乃至１０の何れか１項に記載の表示体と、前記表示体を剥離可能に支持した支持体層とを具備したことを特徴とする転写箔。
【請求項１３】
請求項１乃至１０の何れか１項に記載の表示体とこれを支持した物品とを具備したことを特徴とするラベル付き物品。
【発明の詳細な説明】
【技術分野】
【０００１】
本発明は、偽造防止技術に関する。
【背景技術】
【０００２】
認証物品、有価証券及びブランド品などには、偽造が困難であることが望まれる。そのため、このような物品には、通常の印刷物とは異なった視覚効果を有する表示体が付されることがある。
【０００３】
このような表示体の一例として、ホログラムを含んだ表示体が挙げられる。ホログラムは、特定の方向から観察した場合に、光の干渉に基づいた明るく鮮やかな色を表示する。この干渉光による表示色は、複写機等による複製によっては再現できない。また、ホログラムは、通常の印刷物と比較して構造が複雑であるため、それ自体の複製又は変造も困難である。そのため、ホログラムは、偽造防止技術として、広く利用されている（例えば、特許文献１参照）。
【０００４】
しかしながら、ホログラムを含んだ表示体には、偽造防止技術が適用されていることが比較的悟られ易いという問題点がある。偽造防止技術の適用が悟られると、表示体が不正に複製又は変造される可能性が高くなる。即ち、高い偽造防止効果を達成できない場合がある。
【０００５】
また、ホログラムが表示する像は、干渉光による表示色を観察できない条件のもとでは、アルミ箔のような非常に安っぽい像として認識される。そのため、ホログラムを含んだ表示体を使用する場合、デザイン上の制約が生ずることがある。特に、表示体をブランド品等の高級感が要求されるものに使用する場合には、この制約が大きな問題となり得る。
【特許文献１】特開２００４−２３０５７１号公報
【発明の開示】
【発明が解決しようとする課題】
【０００６】
そこで、本発明は、より高い偽造防止効果を達成すると共に、偽造防止技術を施した表示体を使用する際のデザイン上の制約を低減させることを目的とする。
【課題を解決するための手段】
【０００７】
本発明の第１側面によると、複数の凹部又は凸部からなる回折構造を各々が含み且つ隙間を形成している１つ又は複数の第１要素領域と、前記隙間の少なくとも一部を埋めている１つ又は複数の第２要素領域とを各々が含んだ１つ又は複数の第１界面部を備え、第１方向から白色光で照明した場合に、前記１つ又は複数の第１要素領域に対応した第１要素表示部は第１回折光を第２方向に射出し、前記１つ又は複数の第２要素領域に対応した第２要素表示部は散乱光を射出し、前記第１方向から前記白色光で照明して前記第２方向から肉眼で観察した場合には、前記１つ又は複数の第１界面部に対応した第１表示部は前記第１回折光に対応した色を表示し且つ前記第１要素表示部は前記第１表示部のうち前記第１要素表示部以外の部分から識別することが不可能であり、前記第１方向から前記白色光で照明して前記第２方向とは異なる第３方向から肉眼で観察した場合には、前記第１表示部は前記散乱光に対応した色を表示し且つ前記第２要素表示部は前記第１表示部のうち前記第２要素表示部以外の部分から識別することが不可能であることを特徴とする表示体が提供される。
【０００８】
本発明の第２側面によると、第１側面に係る表示体と、前記表示体上に設けられた粘着層とを具備したことを特徴とする粘着ラベルが提供される。
【０００９】
本発明の第３側面によると、第１側面に係る表示体と、前記表示体を剥離可能に支持した支持体層とを具備したことを特徴とする転写箔が提供される。
【００１０】
本発明の第４側面によると、第１側面に係る表示体とこれを支持した物品とを具備したことを特徴とするラベル付き物品が提供される。
【発明の効果】
【００１１】
本発明によると、より高い偽造防止効果を達成すると共に、偽造防止技術を施した表示体を使用する際のデザイン上の制約を低減させることが可能となる。
【発明を実施するための最良の形態】
【００１２】
以下、本発明の態様について、図面を参照しながら詳細に説明する。なお、各図において、同様又は類似した機能を発揮する構成要素には同一の参照符号を付し、重複する説明は省略する。
【００１３】
図１は、本発明の一態様に係る表示体を概略的に示す平面図である。図２は、図１に示す表示体の一部を拡大して示す平面図である。図３は、図２に示す表示体のＩＩＩ−ＩＩＩ線に沿った断面図である。なお、図２には、表示体１０のうち、図１において破線で囲んでいる部分を描いている。
【００１４】
この表示体１０は、樹脂層１１と反射層１３との積層体を含んでいる。図３に示す例では、樹脂層１１側を背面側とし、反射層１３側を前面側としている。
【００１５】
反射層１３と外界との界面は、界面部ＩＦ１及びＩＦ２を含んでいる。そして、界面部ＩＦ１は、要素領域ＩＦ１ａ及びＩＦ１ｂを含んでいる。以下、この表示体１０のうち、界面部ＩＦ１及びＩＦ２に対応した部分を、それぞれ、表示部ＤＡ１及びＤＡ２と呼ぶ。また、この表示体１０のうち、要素領域ＩＦ１ａ及びＩＦ１ｂに対応した部分を、それぞれ、要素表示部ＤＡ１ａ及びＤＡ１ｂと呼ぶ。
【００１６】
樹脂層１１の材料としては、例えば、熱可塑性樹脂又は光硬化性樹脂を使用する。この場合、原版を用いた転写により、一方の主面に凸構造及び／又は凹構造が設けられた樹脂層１１を容易に形成することができる。
【００１７】
反射層１３としては、例えば、アルミニウム、銀、金、及びそれらの合金などの金属材料からなる金属層を使用することができる。或いは、反射層１３として、樹脂層１１とは屈折率が異なる誘電体層を使用してもよい。或いは、反射層１３として、隣り合うもの同士の屈折率が異なる誘電体層の積層体、即ち、誘電体多層膜を使用してもよい。なお、誘電体多層膜が含む誘電体層のうち樹脂層１１と接触しているものの屈折率は、樹脂層１１の屈折率とは異なっていることが望ましい。反射層１３は、例えば、真空蒸着法及びスパッタリング法などの気相堆積法により形成することができる。
【００１８】
反射層１３は、省略することができる。但し、表示体１０が反射層１３を含んでいる場合、表示体１０に視認性がより優れた像を表示させることができる。
【００１９】
なお、表示体１０では、樹脂層１１側を前面側とし、反射層１３側を背面側としてもよい。この場合、反射層１３と外界との界面ではなく、樹脂層１１と反射層１３との界面が界面部ＩＦ１及びＩＦ２を含む。なお、この場合には、樹脂層１１の材料として、光透過性の樹脂を使用する。
【００２０】
表示体１０は、被覆層を更に備えていてもよい。被覆層は、樹脂層１１及び反射層１３の積層体に対して前面側に設ける。例えば、樹脂層１１側を背面側とし、反射層１３側を前面側とする場合、反射層１３を被覆層によって被覆すると、反射層１３の損傷を抑制できるのに加え、その表面の凸構造及び／又は凹構造の偽造を目的とした複製を困難とすることができる。
【００２１】
次に、要素領域ＩＦ１ａ及びＩＦ１ｂ並びに界面部ＩＦ２について説明する。  
界面部ＩＦ１では、複数の要素領域ＩＦ１ａと複数の要素領域ＩＦ１ｂとが二次元的に配列している。要素領域ＩＦ１ａはそれらの間に隙間を形成しており、要素領域ＩＦ１ｂはこれら隙間を埋めている。この例では、要素領域ＩＦ１ａ及びＩＦ１ｂは、市松模様状に配列している。
【００２２】
ここでは、要素領域ＩＦ１ａ及びＩＦ１ｂを、界面部ＩＦ１の全体に亘って一様に配置している。即ち、要素領域ＩＦ１ａ及びＩＦ１ｂを、単位面積に占める要素領域ＩＦ１ａの割合及び単位面積に占める要素領域ＩＦ１ｂの割合の各々が何れの位置でも等しくなるように配置している。その代わりに、要素領域ＩＦ１ａ及びＩＦ１ｂは、単位面積に占める要素領域ＩＦ１ａの割合及び単位面積に占める要素領域ＩＦ１ｂの割合の各々が位置に応じて異なるように配置してもよい。
【００２３】
界面部ＩＦ１は、複数の要素領域ＩＦ１ａと複数の要素領域１Ｆ１ｂとによって構成されていてもよい。複数の要素領域ＩＦ１ａと複数の要素領域ＩＦ１ｂとによって界面部ＩＦ１を構成する場合、要素領域ＩＦ１ａ及び要素領域ＩＦ１ｂは、二次元的に配列していてもよく、一次元的に配列していてもよい。後者の場合、例えば、界面部ＩＦ１は、万線状に配置された複数の要素領域ＩＦ１ａと、それら以外の部分を占める複数の要素領域ＩＦ１ｂとによって構成されていてもよい。或いは、界面部ＩＦ１は、万線状に配置された複数の要素領域ＩＦ１ｂと、それら以外の部分を占める複数の要素領域ＩＦ１ａとによって構成されていてもよい。
【００２４】
界面部ＩＦ１は、１つの要素領域ＩＦ１ａと複数の要素領域ＩＦ１ｂとによって構成されていてもよい。例えば、界面部ＩＦ１は、網点状に配置された複数の要素領域ＩＦ１ｂと、それら以外の部分を占める１つの要素領域ＩＦ１ａによって構成されていてもよい。
【００２５】
同様に、界面部ＩＦ１は、複数の要素領域ＩＦ１ａと１つの要素領域ＩＦ１ｂとによって構成されていてもよい。例えば、界面部ＩＦ１は、網点状に配置された複数の要素領域ＩＦ１ａと、それら以外の部分を占める１つの要素領域ＩＦ１ｂとによって構成されていてもよい。
【００２６】
界面部ＩＦ１は、１つの要素領域ＩＦ１ａと１つの要素領域ＩＦ１ｂとによって構成されていてもよい。例えば、界面部ＩＦ１は、各々が櫛形を有しており、一方の櫛歯が他方の櫛歯と幅方向に交互に隣り合うように配置された要素領域ＩＦ１ａ及びＩＦ１ｂによって構成されていてもよい。
【００２７】
要素領域ＩＦ１ａでは、複数の凹部又は凸部が短い最小中心間距離で規則的に配列している。要素領域ＩＦ１ａにおいて、これら凹部又は凸部は、回折格子の如く回折光を射出する機能を有している。なお、ここで「最小中心間距離」とは、隣接する複数の凹部又は凸部の中心間距離のうち最も小さいものをいう。
【００２８】
要素領域ＩＦ１ｂは、典型的には、無秩序に配置された複数の凹部又は凸部からなる。要素領域ＩＦ１ｂにおいて、これら凹部又は凸部は、散乱光を射出する機能を有している。
【００２９】
要素領域ＩＦ１ａに対応した要素表示部ＤＡ１ａは、第１方向から白色光で照明した場合に、回折光を射出する。要素領域ＩＦ１ｂに対応した要素表示部ＤＡ１ｂは、第１方向から白色光で照明した場合に、散乱光を射出する。典型的には、要素表示部ＤＡ１ａが回折光を射出する方向の少なくとも１つにおいて、この回折光は、要素表示部ＤＡ１ｂが射出する散乱光と比較して、強度がより高い。例えば、要素表示部ＤＡ１ａがこの方向、すなわち第２方向に射出する回折光の強度は、要素表示部ＤＡ１ｂがこの第２方向に射出する散乱光の強度の２倍以上である。
【００３０】
後で詳述するように、表示部ＤＡ１は、正面から観察した場合には、要素表示部ＤＡ１ｂが射出する散乱光に対応した色を表示する。即ち、この場合、表示部ＤＡ１は、典型的には、白色又は明灰色の印刷層の如く見える。そして、特定の観察条件のもとでは、表示部ＤＡ１は、要素表示部ＤＡ１ａが射出する回折光に対応した色を表示する。即ち、表示部ＤＡ１は、観察条件に応じて、異なる色を表示する。
【００３１】
なお、ここで「白色」は、例えば、表示部ＤＡ１に法線方向から光を照射し、正反射光の強度を測定したときに、波長が４００ｎｍ乃至７００ｎｍの範囲内にある全ての光成分について反射率が約８０％以上であることを意味する。また、「明灰色」は、例えば、表示部ＤＡ１に法線方向から光を照射し、正反射光の強度を測定したときに、波長が４００ｎｍ乃至７００ｎｍの範囲内にある全ての光成分について反射率が約５０％以上であることを意味する。
【００３２】
界面部ＩＦ１が含んでいる各要素領域について、更に詳しく説明する。
【００３３】
まず、要素領域ＩＦ１ａについて説明する。  
図４は、図１乃至図３に示す表示体の要素領域ＩＦ１ａに採用可能な構造の一例を示す斜視図である。図５は、図４に示す構造の平面図である。なお、図４及び図５において、ｘ及びｙ方向は互いに直交し且つＺ方向に対して垂直な方向であり、ｚ方向はＺ方向に対して平行な方向である。
【００３４】
図４及び図５に示す要素領域ＩＦ１ａでは、複数の凸部ＰＲが配列している。この例では、凸部ＰＲは、互いに直交するｘ方向とｙ方向とに格子状に配列している。凸部ＰＲは、斜めに交差する２方向に格子状に配列していてもよい。
【００３５】
要素領域ＩＦ１ａにおいて、各凸部ＰＲは、テーパ形状、即ち先細り形状を有している。テーパ形状は、例えば、半紡錘形状、円錐及び角錐などの錐体形状、又は切頭円錐及び切頭角錐などの切頭錐体形状である。凸部ＰＲの側面は、傾斜面のみで構成されていてもよく、階段状であってもよい。テーパ形状は、要素領域ＩＦ１ａの光反射率を小さくするのに役立つ。加えて、テーパ形状は、原版からの樹脂層１１の取り外しを容易にし、生産性の向上に寄与する。それら凸部ＰＲの一部は、テーパ形状を有していなくてもよい。
【００３６】
要素領域ＩＦ１ａにおいて、凸部ＰＲは、回折格子を形成している。凸部ＰＲが形成している回折格子は、凸部ＰＲの配置に対応して溝（即ち、格子線）を格子状に配置してなる回折格子とほぼ同様に機能する。
【００３７】
なお、この例では、要素領域ＩＦ１ａに凸部ＰＲを設けているが、それら凸部ＰＲを凹部で置換してもよい。凸部ＰＲをテーパ形状とすると、凸部ＰＲを柱状とした場合と比較して、表示部ＤＡ１の反射率を小さくすることができる。この効果は、テーパ形状の凸部ＰＲの代わりにテーパ形状の凹部を設けた場合にも得ることができる。
【００３８】
次に、要素領域ＩＦ１ａの光学特性について説明する。  
上記の通り、要素領域ＩＦ１ａにおいて、凸部ＰＲは、回折格子として機能する。回折格子を照明すると、回折格子は、入射光である照明光の進行方向に対して特定の方向に強い回折光を射出する。
【００３９】
ｍ次回折光（ｍ＝０、±１、±２、・・・）の射出角βは、回折格子の格子線に垂直な面内で光が進行する場合、下記等式から算出することができる。  
ｄ＝ｍλ／（ｓｉｎα−ｓｉｎβ）
この等式において、ｄは回折格子の格子定数を表し、ｍは回折次数を表し、λは入射光及び回折光の波長を表している。また、αは、０次回折光、即ち、透過光又は正反射光の射出角を表している。換言すれば、αの絶対値は照明光の入射角と等しく、反射型回折格子の場合には、照明光の入射方向と正反射光の射出方向とは、回折格子が設けられた界面の法線に関して対称である。
【００４０】
なお、回折格子が反射型である場合、角度αは、０°以上であり且つ９０°未満である。また、回折格子が設けられた界面に対して斜め方向から照明光を照射し、法線方向の角度、即ち０°を境界値とする２つの角度範囲を考えると、角度βは、回折光の射出方向と正反射光の射出方向とが同じ角度範囲内にあるときには正の値であり、回折光の射出方向と照明光の入射方向とが同じ角度範囲内にあるときには負の値である。以下、正反射光の射出方向を含む角度範囲を「正の角度範囲」と呼び、照明光の入射方向を含む角度範囲を「負の角度範囲」と呼ぶ。
【００４１】
法線方向から回折格子を観察する場合、表示に寄与する回折光は射出角βが０°の回折光のみである。従って、この場合、格子定数ｄが波長λと比較してより大きければ、上記等式を満足する波長λ及び入射角αが存在する。即ち、この場合、観察者は、上記等式を満足する波長λを有する回折光を観察することができる。
【００４２】
これに対し、格子定数ｄが波長λと比較してより小さい場合、上記等式を満足する入射角αは存在しない。従って、この場合、観察者は、回折光を観察することができない。
【００４３】
この説明から明らかなように、通常の回折格子とは異なり、要素領域ＩＦ１ａは法線方向に回折光を射出しないか、又は、要素領域ＩＦ１ａが法線方向に射出する回折光は視感度の低いもののみである。
【００４４】
要素領域ＩＦ１ａに設けられている回折格子は、通常の回折格子とは、以下の点で更に相違している。
【００４５】
図６は、或る回折格子が１次回折光を射出する様子を概略的に示す図である。図７は、他の回折格子が１次回折光を射出する様子を概略的に示す図である。
【００４６】
図６及び図７において、ＩＦは回折格子が形成された界面を示し、ＮＬは界面ＩＦの法線を示している。また、ＩＬは複数の波長の光から構成される白色照明光を示し、ＲＬは正反射光又は０次回折光を示し、ＤＬｒ、ＤＬｇ及びＤＬｂは白色照明光ＩＬが分光することにより得られる赤、緑及び青色の１次回折光を示している。
【００４７】
図６において、界面ＩＦには、格子定数が可視光の最短波長、例えば約４００ｎｍよりも大きい回折格子が設けられている。他方、図７において、界面ＩＦには、格子定数が可視光の最短波長よりも小さい回折格子が設けられている。
【００４８】
上記等式から明らかなように、回折格子の格子定数ｄが可視光の最短波長と比較してより大きい場合、界面ＩＦに対して斜め方向から照明光ＩＬを照射すると、図６に示すように、回折格子は、１次回折光ＤＬｒ、ＤＬｇ及びＤＬｂをそれぞれ正の角度範囲内の射出角βｒ、βｇ及びβｂで射出する。なお、図示していないが、このとき、回折格子は、他の波長の光についても同様に１次回折光を射出する。
【００４９】
これに対し、回折格子の格子定数ｄが可視光の最短波長の１／２より大きく且つこの最短波長未満である場合、界面ＩＦに対して斜め方向から照明光ＩＬを照射すると、図７に示すように、回折格子は、１次回折光ＤＬｒ、ＤＬｇ及びＤＬｂをそれぞれ負の角度範囲内の射出角βｒ、βｇ及びβｂで射出する。例えば、角度αが５０°であり、格子定数ｄが３３０ｎｍである場合を考えると、回折格子は、白色照明光ＩＬのうち波長λが５４０ｎｍ（緑）の光を回折させ、１次回折光ＤＬｇを約−６０°の射出角βｇで射出する。
【００５０】
この説明から明らかなように、要素領域ＩＦ１ａは、正の角度範囲内に回折光を射出せずに、負の角度範囲内のみに回折光を射出するか、又は、正の角度範囲内に射出する回折光は視感度が低いもののみであり、負の角度範囲内に視感度が高い回折光を射出する。即ち、要素領域ＩＦ１ａに設けられた回折格子は、通常の回折格子とは異なり、視感度が高い回折光を負の角度範囲内のみに射出する。
【００５１】
また、この表示体１０では、凸部ＰＲはテーパ形状を有している。このような構造を採用した場合、凸部ＰＲの中心間距離が十分に短ければ、界面ＩＦ１の近傍の領域は、Ｚ方向に連続的に変化した屈折率を有していると見なすことができる。そのため、どの角度から観察しても、要素領域ＩＦ１ａの正反射光についての反射率は小さい。そして、上記の通り、要素領域ＩＦ１ａは、実質的に、法線方向に回折光を射出しない。
【００５２】
次に、要素領域ＩＦ１ｂについて説明する。
【００５３】
要素領域ＩＦ１ｂは、照明光を照射された場合に散乱光を射出する機能を有している。
【００５４】
要素領域ＩＦ１ｂは、典型的には、無秩序に配置された複数の凹部又は凸部からなる。これら複数の凹部又は凸部は、例えば、ランダムな中心間距離で配置されている。また、これら複数の凹部又は凸部の深さ又は高さは、典型的には、不均一である。
【００５５】
要素領域ＩＦ１ｂは、樹脂層１１のうち要素領域ＩＦ１ｂに対応する部分が光散乱性を有している場合には、平坦面であってもよい。例えば、樹脂層１１を、樹脂とこれとは異なる屈折率を有した粒子との混合物で構成した場合、要素領域ＩＦ１ｂが平坦面であっても、要素表示部ＤＡ１ｂは光散乱性を示す。
【００５６】
この場合、典型的には、表示部ＤＡ１のうち要素表示部ＤＡ１ａに対応する部分には反射層１３を形成し、要素表示部ＤＡ１ｂに対応する部分には反射層１３を形成しない。或いは、上記粒子を樹脂層１１のうち要素表示部ＤＡ１ｂに対応する部分にのみ分散させ、反射層１３を省略して、樹脂層１１側を前面側とする。樹脂層１１に分散させる粒子としては、例えば、酸化チタンなどの酸化物の粒子を使用する。
【００５７】
図８は、光散乱性を有する界面が散乱光を射出する様子を概略的に示す図である。
【００５８】
図８において、ＩＦは光散乱性を有する界面を示し、ＮＬは界面ＩＦの法線を示している。また、ＩＬは複数の波長の光から構成される白色照明光を示し、ＳＬmaxは散乱光のうち強度が最大であるものを示し、ＳＬ1/2は散乱光のうち強度が散乱光ＳＬmaxの強度の二分の一であるものを示す。そして、γは散乱光ＳＬmaxと散乱光ＳＬ1/2とが為す角度、即ち、散乱光の半値角を示す。なお、散乱光ＳＬmaxの射出方向は、典型的には、正反射光（図示せず）の射出方向と一致する。
【００５９】
図８に示すように、光散乱性を有する界面ＩＦは、白色照明光ＩＬを照射されると、一定の広がりを有した散乱光を射出する。この散乱光は、回折格子等により分光されていないため、典型的には、白色光として認識される。即ち、光散乱性を有する界面ＩＦは、散乱光が射出される角度範囲から観察すると、典型的には白色の領域として視認される。
【００６０】
要素領域ＩＦ１ｂでは、上記の半値角γは、典型的には、２０゜乃至６０゜とする。半値角γが小さいと、散乱光を観察できる角度範囲が小さくなる。それゆえ、表示部ＤＡ１が白色又は明灰色の印刷層のように見える角度範囲が小さくなる。一方、半値角γが大きいと、散乱光を観察できる角度範囲が大きくなる。この場合、散乱光は、負の角度範囲、特には、上述した第２方向においても比較的高い強度を有しうる。それゆえ、この場合、上記散乱光は、要素領域ＩＦ１ａから射出される回折光の視認を妨げ得る。
【００６１】
要素領域ＩＦ１ｂからの散乱光が射出される角度範囲と要素領域ＩＦ１ａからの回折光が射出される角度範囲とは、互いに重複していてもよく、重複していなくてもよい。但し、回折光が射出される全ての角度範囲において散乱光の強度が過度に高いと、要素領域ＩＦ１ａから射出される回折光が視認できなくなる可能性がある。この場合、高い偽造防止効果は達成できない。そのため、例えば、回折光が射出される角度範囲に属する少なくとも１つの方向について、上記方向における回折光の強度が上記方向における散乱光の強度の２倍以上となるようにする。
【００６２】
以上の通り、要素領域ＩＦ１ｂは、白色照明光を照射されると、散乱光を射出する。要素領域ＩＦ１ｂから射出される散乱光は、正の角度範囲内の方向において強度が最大となる。そして、この散乱光は、最大の強度を与える射出方向を中心として、一定の広がりをもって射出される。加えて、特定の条件のもとでは、要素領域ＩＦ１ｂから射出される散乱光は、要素領域ＩＦ１ａから射出される回折光の視認を妨げない。
【００６３】
続いて、界面部ＩＦ２について、簡単に説明する。
【００６４】
界面部ＩＦ２は、界面部ＩＦ１と隣り合っている。界面部ＩＦ２は、例えば平坦面である。或いは、界面部ＩＦ２は、要素領域ＩＦ１ａと同様のレリーフ構造を備えている。或いは、界面部ＩＦ２は、要素領域ＩＦ１ｂと同様の構造を備えている。或いは、界面部ＩＦ２は、要素領域ＩＦ１ａ及びＩＦ１ｂの何れとも異なる構造を備えている。界面部ＩＦ２は、省略してもよい。
【００６５】
界面部ＩＦ２は、界面部ＩＦ１とは光学的特性が異なっている。即ち、表示部ＤＡ２は、肉眼で観察した場合に表示部ＤＡ１から識別可能な像を表示する。従って、表示部ＤＡ１と表示部ＤＡ２とを対比させることにより、表示部ＤＡ１の光学効果を際立たせることができる。
【００６６】
この表示体１０は、以下に説明するように、観察条件に応じて異なる像を表示する。  
図９は、図１乃至図３に示す表示体を或る条件のもとで観察している様子を概略的に示す図である。図１０は、図１乃至図３に示す表示体を他の条件のもとで観察している様子を概略的に示す図である。
【００６７】
図９には、表示体１０の前面を負の角度範囲内の方向から照明し、この表示体１０を正の角度範囲内の方向から観察している様子を描いている。図１０には、表示体１０の前面を負の角度範囲内の方向から照明し、この表示体１０を負の角度範囲内の方向から観察している様子を描いている。なお、図９及び図１０には、表示体１０のうち、表示部ＤＡ１のみを描いている。
【００６８】
上記の通り、要素領域ＩＦ１ａは、視感度が高い回折光を正の角度範囲内に射出しない。また、要素領域ＩＦ１ａは、正反射光についての反射率が小さい。これに対し、要素領域ＩＦ１ｂは、視感度が高い散乱光ＳＬを正の角度範囲内に射出する。
【００６９】
従って、図９に示す観察条件のもとでは、要素表示部ＤＡ１ａは、視感度が高い光を観察者ＯＢに向けて射出しない。これに対し、要素表示部ＤＡ１ｂは、視感度が高い光を観察者ＯＢに向けて射出する。また、要素表示部ＤＡ１ａ及びＤＡ１ｂは、肉眼で観察した場合に互いからの識別が不可能である。それゆえ、表示部ＤＡ１は、上記の散乱光に対応した色を表示する。即ち、表示部ＤＡ１は、白色又は明灰色の印刷層の如く見える。また、観察方向が法線方向に対して平行である場合も、表示部ＤＡ１は、白色又は明灰色の印刷層の如く見える。
【００７０】
このように、図９に示す条件のもとでは、表示部ＤＡ１は、白色又は明灰色に見える。そして、表示部ＤＡ２は、界面部ＩＦ２が平坦面である場合には鏡面の如く見え、界面部ＩＦ２に回折格子及びホログラムなどの回折構造が設けられている場合には回折構造に起因した分光色を表示する。それゆえ、観察者ＯＢには、表示部ＤＡ１は、鏡面又は回折格子若しくはホログラム上に設けられた白色又は明灰色の印刷層の如く見える。また、表示部ＤＡ２は、界面部ＩＦ２が要素領域ＩＦ１ｂと同様の構造を有している場合には、白色又は明灰色に見える。この場合、表示部ＤＡ１と表示部ＤＡ２との双方が、白色又は明灰色の印刷層の如く見える。即ち、この場合、表示部ＤＡ１の存在が悟られ難い。
【００７１】
上述したように、図９に示す条件のもとでは、要素表示部ＤＡ１ａに由来した正反射光は視認され難い。それゆえ、表示部ＤＡ１がアルミ箔のような鏡面状の領域として視認される可能性は低い。従って、表示体１０を使用する際のデザイン上の制約は少ない。
【００７２】
図１０に示す条件のもとでは、例えば、要素表示部ＤＡ１ａが射出する回折光ＤＬｒ、ＤＬｇ及びＤＬｂの何れかは、観察者ＯＢに向けて進行する。これに対し、要素表示部ＤＡ１ｂが射出する散乱光は、典型的には、観察者ＯＢに向けては進行しない。或いは、散乱光のうち強度が比較的低い光、例えば、この方向に射出される回折光の強度の二分の一以下の強度を有した光のみが、観察者ＯＢに向けて進行する。従って、この条件のもとでは、表示部ＤＡ１は、要素表示部ＤＡ１ａからの回折光に対応した色を表示する。
【００７３】
このように、図１０に示す条件のもとでは、表示部ＤＡ１は、回折光に由来する色を表示する。そして、図１０に示す観察条件のもとでは、表示部ＤＡ２は、界面部ＩＦ２が平坦面である場合には鏡面の如く見え、界面部ＩＦ２が光散乱性を有している場合には白色に見え、界面部ＩＦ２に回折格子及びホログラムなどの回折構造が設けられている場合には鏡面の如く見える。
【００７４】
なお、界面部ＩＦ２が要素領域ＩＦ１ａと同様又は類似の回折構造を有している場合には、更に特殊な視覚効果が達成できる。これについては、後で詳しく説明する。
【００７５】
ところで、一般に、物品を観察する場合、正反射光を知覚できるように、物品と光源とを観察者の目に対して相対的に位置合わせする。そのため、表示部ＤＡ１に上述した構造を採用していることを知らない観察者は、図９を参照しながら説明した条件のもとでこの表示体１０を観察する可能性が高い。
【００７６】
上記の通り、この観察条件のもとでは、要素表示部ＤＡ１ａは、観察者ＯＢに向けて視感度が高い回折光を射出しない。加えて、要素表示部ＤＡ１ａは、正反射光についての反射率が小さい。これに対し、この観察条件のもとでは、要素表示部ＤＡ１ｂは、観察者ＯＢに向けて視感度の高い散乱光を射出する。それゆえ、表示部ＤＡ１は、白色又は明灰色の印刷層の如く見える。従って、この表示体１０は、要素表示部ＤＡ１ａが回折光を射出し得ることを悟られ難い。
【００７７】
そして、正の角度範囲内の方向又は略法線方向から観察した場合に白色又は明灰色の印刷層の如く見え、負の角度範囲内の方向から観察した場合に回折光に由来する色を表示するという特徴を、他の構成によって再現することは不可能であるか又は困難である。加えて、この表示体１０の製造、特には要素領域ＩＦ１ａのレリーフ構造の形成には、高い技術力が必要である。即ち、例え要素表示部ＤＡ１ａが回折光を射出し得ることを悟られたとしても、この表示体１０とは構造が異なる模造品によって先の光学特性を再現することはできず、また、この表示体１０と同一の構造を有する偽造品を製造することは極めて困難である。  
従って、この表示体１０を使用すると、高い偽造防止効果を達成することができる。
【００７８】
この表示体１０では、要素領域ＩＦ１ａにおいて、凸部ＰＲ又は凹部の中心間距離は、５００ｎｍ以下であり、典型的には４５０ｎｍ以下であり、一例によると４００ｎｍ以下である。また、各要素領域において、凸部ＰＲ又は凹部の中心間距離は、例えば２００ｎｍ以上であり、典型的には３００ｎｍ以上である。
【００７９】
凸部ＰＲ又は凹部の中心間距離が十分に小さければ、各要素領域はＺ方向に１次回折光を射出しないか、又は、各要素領域がＺ方向に射出する１次回折光を視感度が低い波長の光のみとすることができる。従って、凸部ＰＲ又は凹部の中心間距離を小さくすると、表示体１０を正面方向から観察した場合に、実質的に要素領域ＩＦ１ｂからの散乱光のみが視認されるようにすることができる。なお、凸部ＰＲ又は凹部の中心間距離が過剰に小さいと、要素領域ＩＦ１ａは１次回折光を射出しないか、又は、要素領域ＩＦ１ａが射出する１次回折光は視感度が低い波長の光のみとなる。
【００８０】
界面部ＩＦ１において、要素領域ＩＦ１ａの面積と要素領域ＩＦ１ｂの面積との和に対する要素領域ＩＦ１ａの面積の比は、例えば０．１乃至０．９の範囲内とし、典型的には０．３乃至０．７の範囲内とする。この比が小さい場合、表示部ＤＡ１に、要素領域ＩＦ１ａから射出される回折光に対応した色を表示させることが困難となる場合がある。この比が大きい場合、表示部ＤＡ１に、要素領域ＩＦ１ｂから射出される散乱光に対応した色を表示させることが困難となる場合がある。なお、この面積比を適宜調整することにより、表示部ＤＡ１から射出される回折光の強度と散乱光の強度とのバランスを最適化することができる。
【００８１】
要素領域ＩＦ１ａにおける凸部ＰＲの高さ又は凹部の深さは、それらの中心間距離の１／２以上とすることが望ましい。例えば、凸部ＰＲ又は凹部の中心間距離が４００ｎｍである場合、凸部ＰＲの高さ又は凹部の深さを２００ｎｍ以上とすると、要素表示部ＤＡ１ａからの正反射光の強度が低くなる。そして、凸部ＰＲの高さ又は凹部の深さを４００ｎｍ以上とすると、表示部ＤＡ１からの正反射光の強度が更に低くなる。
【００８２】
これらの場合、要素表示部ＤＡ１ｂからの散乱光の観察が要素表示部ＤＡ１ａからの正反射光により妨げられる可能性は低い。また、表示部ＤＡ１がアルミ箔のような鏡面状の領域として視認される可能性が低くなり、表示体１０を使用する際のデザイン上の制約が少なくなる。加えて、中心間距離に対する凸部ＰＲの高さ又は凹部の深さの比を大きくすると、要素表示部ＤＡ１ａからの正反射光の強度を抑制できるのに加え、より高精度な製造技術が必要となる。即ち、より高い偽造防止効果を達成できる。
【００８３】
上記の通り、要素領域ＩＦ１ａにおいて、凸部又は凹部は、典型的には約２００ｎｍ乃至約５００ｎｍの範囲内の中心間距離で配列している。そして、要素領域ＩＦ１ａが回折格子として機能するには、要素領域ＩＦ１ａにおいて、一方向当り約１０個以上の凸部又は凹部が配列していることが望ましい。それゆえ、要素領域ＩＦ１ａの各々は、例えば、一辺の長さが３μｍの正方形を内包する形状とする。
【００８４】
また、要素領域ＩＦ１ａ及びＩＦ１ｂの各々が大きい場合、例えばそれらが人間の眼の一般的な分解能以上の寸法を有している場合、要素表示部ＤＡ１ａと要素表示部ＤＡ１ｂとは、独立した領域として視認されうる。この場合、要素表示部ＤＡ１ａ及びＤＡ１ｂの各々の光学効果の変化を表示部ＤＡ１全体の光学効果の変化として認識させることができない。従って、各要素領域は、例えば、短辺の長さが３００μｍの矩形に内包される形状とする。
【００８５】
界面部ＩＦ１は、要素領域ＩＦ１ａについて上述したのと同様の構造を有しており、第１方向から白色光で照明した場合に要素領域ＩＦ１ａとは波長が異なる回折光を第２方向とは異なる第４方向に射出する１種以上の要素領域を更に含んでいてもよい。この場合、例えば、要素領域ＩＦ１ａと追加の要素領域とで、凸部ＰＲの配列方向及び／又は中心間距離を異ならしめる。そして、要素領域ＩＦ１ａ及び追加の要素領域は、要素領域ＩＦ１ａがそれらの間に形成している隙間の一部のみを要素領域ＩＦ１ｂが埋め、追加の要素領域が隙間の残りを埋めるように配置する。加えて、第１方向から白色光で照明して第２方向から肉眼で観察した場合に、追加の要素領域に対応した各要素表示部と表示部ＤＡ１の他の要素表示部との識別が不可能であるように界面部ＩＦ１を設計する。こうすると、表示部ＤＡ１は、第２方向から観察した場合には要素領域ＩＦ１ａから射出される回折光に対応した色を表示し、第４方向から観察した場合には追加の要素領域から射出される回折光に対応した色を表示する。従って、この場合、より高い偽造防止効果を達成できる。
【００８６】
なお、上記の追加の要素領域は、要素領域ＩＦ１ａとは波長が異なる回折光を第２方向に射出するように設計してもよい。この場合、表示部ＤＡ１に、要素領域ＩＦ１ａから射出される回折光に対応した色と追加の要素領域から射出される回折光に対応した色との混色を表示させることができる。
【００８７】
続いて、界面部ＩＦ２が要素領域ＩＦ１ａと同様又は類似の回折構造を有している場合、即ち、界面部ＩＦ２において複数の凹部又は凸部が短い最小中心間距離で規則的に配列している場合について説明する。  
この場合、これら複数の凹部又は凸部は、要素領域ＩＦ１ａと同様又は類似の光学効果を有する回折格子として機能する。即ち、この場合、界面部ＩＦ２は、視感度が高い回折光を正の角度範囲内に射出しない。そして、界面部ＩＦ２は、正反射光についての反射率が小さい。
【００８８】
従って、例えば図９に示す観察条件のもとでは、界面部ＩＦ２は、視感度が高い光を観察者ＯＢに向けて射出しない。それゆえ、表示部ＤＡ２は、暗灰色又は黒色の印刷層の如く見える。また、観察方向が表示部ＤＡ２の法線方向に対して平行である場合も、表示部ＤＡ２は、暗灰色又は黒色の印刷層の如く見える。
【００８９】
なお、ここで、「暗灰色」は、例えば、表示部ＤＡ２に法線方向から光を照射し、正反射光の強度を測定したときに、波長が４００ｎｍ乃至７００ｎｍの範囲内にある全ての光成分について反射率が約２５％以下であることを意味する。また、「黒色」は、例えば、表示部ＤＡ２に法線方向から光を照射し、正反射光の強度を測定したときに、波長が４００ｎｍ乃至７００ｎｍの範囲内にある全ての光成分について反射率が１０％以下であることを意味する。
【００９０】
この場合、例えば図９に示す観察条件のもとでは、表示部ＤＡ２は、表示部ＤＡ１から射出される散乱光に対応した色とは異なる色を表示する。典型的には、表示部ＤＡ１は白色又は明灰色の印刷層の如く見え、表示部ＤＡ２は暗灰色又は黒色の印刷層の如く見える。また、観察方向が法線方向に対して平行である場合も、表示部ＤＡ１は白色又は明灰色の印刷層の如く見え、表示部ＤＡ２は暗灰色又は黒色の印刷層の如く見える。従って、このような観察条件のもとでは、表示部ＤＡ１と表示部ＤＡ２との組み合わせにより、例えばモノクロの像を表示させることができる。
【００９１】
これに対し、例えば図１０に示す観察条件のもとでは、界面部ＩＦ２は、視感度が高い回折光を観察者ＯＢに向けて射出する。それゆえ、このような観察条件のもとでは、界面部ＩＦ２は、回折光に由来した色を表示する。
【００９２】
界面部ＩＦ２に要素領域ＩＦ１ａと同様の構造を採用した場合、表示体１０を特定の観察方向から観察すると、表示部ＤＡ２と表示部ＤＡ１とが同じ色に見える。従って、このような観察条件のもとでは、図９に示す観察条件のもとで視認可能だった像が視認できなくなる。即ち、この場合、観察条件に応じて像を消失させたり現出させたりすることができる。
【００９３】
界面部ＩＦ２に要素領域ＩＦ１ａと類似の構造を採用した場合、例えば、界面部ＩＦ２と要素領域ＩＦ１ａとで規則的に配列した凸部ＰＲの最小中心間距離及び／又は配列方向を異ならしめた場合、表示体１０を特定の観察方向から観察すると、表示部ＤＡ２と表示部ＤＡ１とは互いに異なる色に見える。従って、この場合、図１０に示す観察条件のもとで表示体１０を観察すると、図９に示す観察条件のもとで視認可能だった像は、異なる色彩の像として視認可能となる。即ち、この場合、観察条件に応じて表示部ＤＡ１及びＤＡ２が表示する像の色彩を変化させることができる。これにより、更に高い偽造防止効果を達成できる。
【００９４】
表示部ＤＡ１には、文字、記号及び絵柄等の情報を表示させることが望ましい。このような情報を表示させることにより、使用者の注視効果を向上させると共に、表示体１０やこれを備えたラベル付き物品に意匠性を付与することができる。
【００９５】
図１乃至図１０を参照しながら説明した表示体１０は、粘着ラベル及び転写箔等の一部として使用してもよい。
【００９６】
図１１は、本発明の一態様に係る粘着ラベルを概略的に示す断面図である。
【００９７】
粘着ラベル２０は、表示体１０と、表示体１０上に設けられた粘着層２１とを備えている。図１１には、一例として、図３に示す表示体１０の樹脂層１１の背面上に粘着層２１が設けられている場合を示している。
【００９８】
粘着層２１を設けると、樹脂層１１の表面が露出しないようにできる。樹脂層１１の表面の形状は、通常、反射層１３と外界との界面の形状とほぼ等しい。そのため、表示体１０を粘着ラベル２０の一部として使用することにより、先の界面の凹部又は凸部の複製をより困難とすることができる。なお、表示体１０において、反射層１３側を背面側とし且つ樹脂層１１側を前面側とする場合、粘着層２１は、反射層１３上に形成する。
【００９９】
この粘着ラベル２０は、例えば、真正さが確認されるべき物品に貼り付けるか、或いは、そのような物品に取り付けられるべきタグの基材などの他の物品に貼り付ける。これにより、当該物品に偽造防止効果を付与することができる。
【０１００】
なお、反射層１３にカッティングを入れたり、表示体１０と粘着層２１との間に脆性層を更に設けたりすることにより、粘着ラベル２０に貼替え防止機能を付与することもできる。これにより、更に高い偽造防止効果を達成できる。
【０１０１】
図１２は、本発明の一態様に係る転写箔を概略的に示す断面図である。
【０１０２】
転写箔３０は、表示体１０と、表示体１０を剥離可能に支持した支持体層３１とを備えている。図８には、一例として、反射層１３及び支持体層３１間に剥離保護層３３が設けられ且つ樹脂層１１の背面上に接着層３５が設けられている場合を描いている。
【０１０３】
剥離保護層３３は、転写箔３０を被転写体に転写する際の支持体層３１の剥離を容易にする役割を担っている。剥離保護層３３の材料としては、例えば、アクリル樹脂、スチレン又はニトロセルロースを使用することができる。剥離保護層３３は、例えば、グラビアコーティング法及びマイクログラビアコーティング法などの公知の方法により形成することができる。
【０１０４】
接着層３５は、例えば、熱を印加したときに粘着性を発現する感熱接着剤を含んでいる。感熱接着剤としては、例えば、アクリル樹脂、塩化ビニル−酢酸ビニル共重合体、エポキシ樹脂及びエチレン−ビニルアルコール共重合体などの熱可塑性樹脂を使用することができる。接着層３５は、例えば、上述した樹脂を、グラビアコータ、マイクログラビアコータ及びロールコータなどのコータを用いて樹脂層１１上に塗布することにより得られる。
【０１０５】
この転写箔３０は、例えば、ロール転写機又はホットスタンプによって、被転写体に転写される。この際、剥離保護層３３において剥離を生じると共に、表示体１０が、被転写体に、接着層３５を介して貼付される。
【０１０６】
図１３は、ラベル付き物品の一例を概略的に示す平面図である。図１４は、図１３に示すラベル付き物品のＸＩＶ−ＸＩＶ線に沿った断面図である。
【０１０７】
図１３及び図１４には、ラベル付き物品の一例として、印刷物１００を描いている。この印刷物１００は、ＩＣ（integrated circuit）カードであって、基材４０を含んでいる。基材４０は、例えば、プラスチックからなる。基材４０の一方の主面には凹部が設けられており、この凹部にＩＣチップ５０が嵌め込まれている。ＩＣチップ５０の表面には電極が設けられており、これら電極を介してＩＣへの情報の書き込み及び／又はＩＣに記録された情報の読出しが可能である。基材４０上には、印刷層４１が形成されている。基材４０の印刷層４１が形成された面には、上述した表示体１０が例えば粘着層６０を介して固定されている。表示体１０は、例えば、粘着ステッカとして又は転写箔として準備しておき、これを印刷層４１に貼りつけることにより、基材２０に固定する。
【０１０８】
この印刷物１００は、上述した表示体１０を含んでいる。それゆえ、この印刷物１００の偽造及び模造は不可能又は困難である。しかも、この印刷物１００は、表示体１０に加えて、ＩＣチップ５０及び印刷層４１を更に含んでいるため、それらを利用した偽造防止対策を採用することができる。
【０１０９】
なお、図１３及び図１４には、表示体１０を含んだ印刷物としてＩＣカードを例示しているが、表示体１０を含んだ印刷物は、これに限られない。例えば、表示体１０を含んだ印刷物は、磁気カード、無線カード及びＩＤ（identification）カードなどの他のカードであってもよい。或いは、表示体１０を含んだ印刷物は、商品券及び株券などの有価証券であってもよい。或いは、表示体１０を含んだ印刷物は、真正品であることが確認されるべき物品に取り付けられるべきタグであってもよい。或いは、表示体１０を含んだ印刷物は、真正品であることが確認されるべき物品を収容する包装体又はその一部であってもよい。
【０１１０】
また、図１３及び図１４に示す印刷物１００では、表示体１０を基材４０に貼り付けているが、表示体１０は、他の方法で基材に支持させることができる。例えば、基材として紙を使用した場合、表示体１０を紙に漉き込み、表示体１０に対応した位置で紙を開口させてもよい。或いは、基材として光透過性の材料を使用する場合、その内部に表示体１０を埋め込んでもよく、基材の裏面、即ち表示面とは反対側の面に表示体１０を固定してもよい。
【０１１１】
また、ラベル付き物品は、印刷物でなくてもよい。即ち、印刷層を含んでいない物品に表示体１０を支持させてもよい。例えば、表示体１０は、美術品などの高級品に支持させてもよい。
【０１１２】
表示体１０は、偽造防止以外の目的で使用してもよい。例えば、表示体１０は、玩具、学習教材又は装飾品等としても利用することができる。
【実施例】
【０１１３】
以下のようにして、表示体１０を製造した。  
まず、レジスト乾板ＤＰを準備し、その上に、ＥＢ（電子線）描画装置を用いて、図１５に示すようなパターンを描画した。
【０１１４】
図１５は、レジスト乾板上に形成するパターンの一例を示す平面図である。  
レジスト乾板ＤＰ上には、図１５に示すように、複数の領域Ｒ１及び１つの領域Ｒ２を形成した。領域Ｒ１の各々には、最小中心間距離が３００ｎｍである複数の凸部ＰＲを形成した。領域Ｒ１の各々は、１００μｍ四方の四角形の領域とし、これら領域Ｒ１の各々は、或る領域Ｒ１の中心とこれに隣接する領域Ｒ１の中心との間の距離が３００μｍとなるように形成した。領域Ｒ２には、１μｍ乃至５μｍの間隔で、複数の溝を無秩序に形成した。領域Ｒ２は、レジスト乾板ＤＰの表面のうち領域Ｒ１以外の部分を占めるように形成した。なお、領域Ｒ１を構成する凸部ＰＲの高さは、約１００ｎｍとした。また、領域Ｒ２を構成する溝の深さは、約３００ｎｍとした。
【０１１５】
次に、このレジスト乾板ＤＰを現像した。その後、これに金属メッキを施すことにより、レジスト乾板ＤＰ上に形成した表面レリーフパターンを金属製の金型に写し取った。そして、この金型を用いて、塩化ビニルフィルム上にエンボス加工を施し、樹脂層１１を得た。次いで、この樹脂層１１上にアルミニウムを蒸着させ、反射層１３を形成した。このようにして、領域Ｒ１に対応した要素領域ＩＦ１ａと領域Ｒ２に対応した要素領域ＩＦ１ｂとからなる界面部ＩＦ１を形成した。
【０１１６】
以上のようにして、表示体１０を得た。  
この表示体１０を図９に示す観察条件のもとで観察したところ、表示体１０の表示部ＤＡ１の全体が白色に見えた。また、表示体１０を図１０に示す観察条件のもとで観察したところ、表示体１０の表示部ＤＡ１の全体が青色に光って見えた。
【図面の簡単な説明】
【０１１７】
【図１】本発明の一態様に係る表示体を概略的に示す平面図。
【図２】図１に示す表示体の一部を拡大して示す平面図。
【図３】図２に示す表示体のＩＩＩ−ＩＩＩ線に沿った断面図。
【図４】図１乃至図３に示す表示体の要素領域に採用可能な構造の一例を示す斜視図。
【図５】図４に示す構造の平面図。
【図６】或る回折格子が１次回折光を射出する様子を概略的に示す図。
【図７】他の回折格子が１次回折光を射出する様子を概略的に示す図。
【図８】光散乱性を有する界面が散乱光を射出する様子を概略的に示す図。
【図９】図１乃至図３に示す表示体を或る条件のもとで観察している様子を概略的に示す図。
【図１０】図１乃至図３に示す表示体を他の条件のもとで観察している様子を概略的に示す図。
【図１１】本発明の一態様に係る粘着ラベルを概略的に示す断面図。
【図１２】本発明の一態様に係る転写箔を概略的に示す断面図。
【図１３】ラベル付き物品の一例を概略的に示す平面図。
【図１４】図１３に示すラベル付き物品のＸＩＶ−ＸＩＶ線に沿った断面図。
【図１５】レジスト乾板上に形成するパターンの一例を示す平面図。
【符号の説明】
【０１１８】
１０…表示体、１１…樹脂層、１３…反射層、２０…粘着ラベル、２１…粘着層、３０…転写箔、３１…支持体層、３３…剥離保護層、３５…接着層、４０…基材、４１…印刷層、５０…ＩＣチップ、６０…粘着層、１００…印刷物、ＤＡ１…表示部、ＤＡ１ａ…要素表示部、ＤＡ１ｂ…要素表示部、ＤＡ２…表示部、ＤＬｂ…回折光、ＤＬｇ…回折光、ＤＬｒ…回折光、ＤＰ…乾板、ＩＦ…界面部、ＩＦ１…界面部、ＩＦ１ａ…要素領域、ＩＦ１ｂ…要素領域、ＩＦ２…界面部、ＩＬ…照明光、ＬＳ…光源、ＮＬ…法線、ＯＢ…観察者、ＰＲ…凸部、Ｒ１…領域、Ｒ２…領域、ＲＬ…正反射光、ＳＬ…散乱光、ＳＬmax…散乱光、ＳＬ1/2…散乱光。
【図１】
2010085721.tif 000003
【図２】
2010085721.tif 000004
【図３】
2010085721.tif 000005
【図４】
2010085721.tif 000006
【図５】
2010085721.tif 000007
【図６】
2010085721.tif 000008
【図７】
2010085721.tif 000009
【図８】
2010085721.tif 000010
【図９】
2010085721.tif 000011
【図１０】
2010085721.tif 000012
【図１１】
2010085721.tif 000013
【図１２】
2010085721.tif 000014
【図１３】
2010085721.tif 000015
【図１４】
2010085721.tif 000016
【図１５】
2010085721.tif 000017